(57)【要約】【課題】装置本体が高所に設置された場合でも、ディスクの配置、取り出しを容易かつ適切に行えるディスクトレイとこれを備えたディスクトレイ駆動装置の提供。【解決手段】片面にディスクＤを配置する凹状のディスク配置部Ｓを有して、そのディスク配置部Ｓが筐体１の外部に全て露出する状態となるイジェクト位置と、ディスク配置部Ｓが筐体１の内部に全て収まる状態となる収納位置と、の間を移動可能とされるディスクトレイ２を備えたディスクトレイ駆動装置である。ディスクトレイ２は、前記イジェクト位置にあって筐体１の外部に先端側のみ張り出すリアトレイ部２１と、リアトレイ部２１の先端に連結されるフロントトレイ部２２とから成る。フロントトレイ部２２は、ディスク配置部Ｓに配置されたディスクＤを保持しながら、リアトレイ部２１に対してディスク配置部Ｓとは反対の面側に向け屈曲可能とされている。【選択図】図１
2010257543.tif 000002
【特許請求の範囲】
【請求項１】
片面にディスクを配置する凹状のディスク配置部を有して、そのディスク配置部が筐体の外部に全て露出する状態となるイジェクト位置と、前記ディスク配置部が前記筐体の内部に全て収まる状態となる収納位置と、の間を移動可能とされるディスクトレイであり、
前記イジェクト位置にあって前記筐体の外部に先端側のみ張り出すリアトレイ部と、このリアトレイ部の先端に連結されるフロントトレイ部とから成り、
前記フロントトレイ部は、前記ディスク配置部に配置されたディスクを保持しながら前記リアトレイ部に対して前記ディスク配置部とは反対の面側に向け屈曲可能とされていることを特徴とするディスクトレイ。
【請求項２】
前記ディスク配置部は、前記リアトレイ部と前記フロントトレイ部との間に跨って形成されていることを特徴とする請求項１記載のディスクトレイ。
【請求項３】
前記フロントトレイ部は、前記ディスク配置部の少なくとも外周部を覆うディスク保持手段を有していることを特徴とする請求項１、又は２記載のディスクトレイ。
【請求項４】
片面にディスクを配置する凹状のディスク配置部を有して、そのディスク配置部が筐体の外部に全て露出する状態となるイジェクト位置と、前記ディスク配置部が前記筐体の内部に全て収まる状態となる収納位置と、の間を移動可能とされるディスクトレイを備えたディスクトレイ駆動装置において、
前記ディスクトレイは、前記イジェクト位置にあって前記筐体の外部に先端側のみ張り出すリアトレイ部と、このリアトレイ部の先端に連結されるフロントトレイ部とから成り、
前記フロントトレイ部は、前記ディスク配置部に配置されたディスクを保持しながら前記リアトレイ部に対して前記ディスク配置部とは反対の面側に向け屈曲可能とされ、
前記ディスクトレイが前記イジェクト位置にあるとき前記リアトレイ部に対して前記フロントトレイ部を屈曲せしめるトレイ屈伸駆動部を備えていることを特徴とする特徴とするディスクトレイ駆動装置。
【請求項５】
前記フロントトレイ部が前記イジェクト位置で屈曲するか否かを選択するモード切換手段を備えていることを特徴とする請求項４記載のディスクトレイ駆動装置。
【請求項６】
外部から入力される制御情報に基づいて前記トレイ屈伸駆動部の動作量を制御するトレイ屈伸制御部を備えていることを特徴とする請求項４、又は５記載のディスクトレイ駆動装置。
【発明の詳細な説明】
【技術分野】
【０００１】
本発明は、ディスク（円盤状記録媒体）にオーディオ情報やビジュアル情報を記録したり、その記録情報を再生したりするのに用いられるディスク駆動装置に係わり、特にディスクの搬送に用いられるディスクトレイと同ディスクトレイを備えたディスクトレイ駆動装置に関する。
【背景技術】
【０００２】
従来、ディスク駆動装置として、ディスクを搬送するためのディスクトレイを備えたものが知られる。その種のディスク駆動装置は、ディスクを載せたディスクトレイが水平状態を保って移動しながら、水平状に配置されるターンテーブル上までディスクを搬送する横型が主流であるが、コンピュータ本体に内蔵されるものではターンテーブルの軸線が水平方向に指向される縦型も多い。
【０００３】
ここに、ディスクトレイを備えた縦型のディスク駆動装置によれば、ディスクトレイに配したディスクの中心孔にターンテーブルが嵌まり込むよう、ディスクトレイをターンテーブルに平行して垂直姿勢に配置し、そのディスクトレイがターンテーブルの軸線に直交する面内で平行移動する構成とされることが一般的であるが、ディスクはディスクトレイに対してその左右いずれかの面に配置されるようになっているので、ディスクの位置やレベル面を目視し難く、ユーザによってはディスクトレイに対するディスクの配置やその取り出しが困難になることがある。
【０００４】
例えば、ディスク配置部が装置本体に向かって右側にあるとき、左利きのユーザにとってはディスクの配置、取り出しが困難となり、逆にディスク配置部が装置本体に向かって左側にあるときには、右利きのユーザにとってディスクの配置、取り出しが困難となる。
【０００５】
そこで、ディスクトレイを備える縦型にして、そのディスクトレイが外部に排出されたとき垂直姿勢から水平姿勢に転換してディスク配置部が上向きとなる装置が提案されている（例えば、特許文献１）。
【０００６】
一方、横型のディスク駆動装置において、ディスクトレイが引き出された時その先端部が折れ曲がり、水平状態に保たれるディスクトレイの後部からディスクの外周部が前方に張り出すようになる技術が公知である（例えば、特許文献２）。
【先行技術文献】
【特許文献】
【０００７】
【特許文献１】特開平０９−３２０１６２号公報
【特許文献２】実開平４−１２１４８号公報
【発明の概要】
【発明が解決しようとする課題】
【０００８】
しかしながら、特許文献１に開示されるような装置によれば、横型の装置と同じくユーザの利き手に関係なくディスクの配置や取り出しを好適に行えるという効果を得られるものの、装置本体が高所に設置されてディスクトレイがユーザの目線上に位置するような使用態様とされた場合、ディスク配置部や同部に配置されたディスクを視認できなくなり、このためディスクの配置や取り出しを良好に行えなくなるという問題を残存している。
【０００９】
又、特許文献２でも、装置本体が高所に設置された場合にはディスクの着脱を容易に行えるとは言えず、ディスクの外周の一部分が水平姿勢に保たれるディスクトレイの後部から張り出すだけで、ディスクの配置箇所それ自体は視認できないし、取り出すべきディスクも上面となる非信号面側（レベル面）を視認できないから、その非信号面に記される文字などからディスクの種類などを確認することすらできない。
【００１０】
本発明は、以上のような事情に鑑みて成されたものであり、その目的は装置本体が高所に設置された場合でも、ディスクの配置、取り出しを容易かつ適切に行えるディスクトレイとこれを備えたディスクトレイ駆動装置を提供することにある。
【課題を解決するための手段】
【００１１】
本発明は上記目的を達成するため、
片面にディスクＤを配置する凹状のディスク配置部Ｓを有して、そのディスク配置部Ｓが筐体１の外部に全て露出する状態となるイジェクト位置と、ディスク配置部Ｓが筐体１の内部に全て収まる状態となる収納位置と、の間を移動可能とされるディスクトレイ２であり、
前記イジェクト位置にあって筐体１の外部に先端側のみ張り出すリアトレイ部２１と、このリアトレイ部２１の先端に連結されるフロントトレイ部２２とから成り、
フロントトレイ部２２は、ディスク配置部Ｓに配置されたディスクＤを保持しながらリアトレイ部２１に対してディスク配置部Ｓとは反対の面側に向け屈曲可能とされていることを特徴とする。
【００１２】
加えて、ディスク配置部Ｓは、リアトレイ部２１とフロントトレイ部２２との間に跨って形成されていることを特徴とする。
【００１３】
又、フロントトレイ部２２は、ディスク配置部Ｓの少なくとも外周部を覆うディスク保持手段を有していることを特徴とする。
【００１４】
一方、片面にディスクＤを配置する凹状のディスク配置部Ｓを有して、そのディスク配置部Ｓが筐体１の外部に全て露出する状態となるイジェクト位置と、ディスク配置部Ｓが筐体１の内部に全て収まる状態となる収納位置と、の間を移動可能とされるディスクトレイ２を備えたディスクトレイ駆動装置において、
ディスクトレイ２は、前記イジェクト位置にあって筐体１の外部に先端側のみ張り出すリアトレイ部２１と、このリアトレイ部２１の先端に連結されるフロントトレイ部２２とから成り、
フロントトレイ部２２は、ディスク配置部Ｓに配置されたディスクＤを保持しながらリアトレイ部２１に対してディスク配置部Ｓとは反対の面側に屈曲可能とされ、
ディスクトレイ２が前記イジェクト位置にあるときリアトレイ部２１に対してフロントトレイ部２２を屈曲せしめるトレイ屈伸駆動部３を備えていることを特徴とする。
【００１５】
又、上記のように構成されるディスクトレイ駆動装置において、前記フロントトレイ部が前記イジェクト位置で屈曲するか否かを選択するモード切換手段を備えていることを特徴とする。
【００１６】
加えて、外部から入力される制御情報に基づいてトレイ屈伸駆動部３の動作量を制御するトレイ屈伸制御部５を備えていることを特徴とする。
【発明の効果】
【００１７】
本発明に係るディスクトレイ及びこれを備えたディスクトレイ駆動装置によれば、フロントトレイ部がディスク配置部に配置されたディスクを保持しながらリアトレイ部に対してディスク配置部とは反対の面側に向け屈曲する構成とされていることから、ディスクトレイ駆動装置が高所に設置された場合でも、取り出すべきディスクの非記録面（ラベル面）を下向きにして、その非記録面に記される文字などからディスクの種類を確認し、そのディスクを視認しながらフロントトレイ部から容易に取り出すことができ、そのフロントトレイ部に対するディスクの装着も装着すべき位置を視認しながら容易かつ適切に行うことができる。
【００１８】
加えて、ディスク配置部がリアトレイ部とフロントトレイ部との間に跨って形成されていることから、フロントトレイ部に保持されたディスクの外周部がフロントトレイ部より張り出すようになるので、ディスクの着脱が更に容易になる。
【００１９】
又、フロントトレイ部は、ディスク配置部の少なくとも外周部を覆うディスク保持手段を有しているので、ディスクを確実に保持して屈伸動作中におけるディスクの脱落を防止することができる。
【００２０】
更に、本発明のディスクトレイ駆動装置は、ディスクトレイがイジェクト位置にあるときリアトレイ部に対してフロントトレイ部を屈曲せしめるトレイ屈伸駆動部を備えていることから、フロントトレイ部の屈伸動作を自動的に行うことができ、しかもフロントトレイ部がイジェクト位置で屈曲するか否かを選択するモード切換手段を備えているので、本装置の設置態様によってはディスクトレイを従前通りイジェクト位置で平板状に維持することもできる。
【００２１】
又、外部から入力される制御情報に基づいてトレイ屈伸駆動部の動作量を制御するトレイ屈伸制御部を備えていることから、本装置の設置態様に応じてフロントトレイ部の屈曲角度を変更し、ディスクを取り出し易い位置に向けることが可能になる。
【図面の簡単な説明】
【００２２】
【図１】本発明に係るディスクトレイ駆動装置を示す斜視図
【図２】本発明に係るディスクトレイを示す斜視分解図
【図３】同ディスクトレイの側面図
【図４】図３のＡ−Ａ断面図
【図５】同ディスクトレイの平面図
【図６】図５のＢ−Ｂ断面図
【図７】同ディスクトレイの底面図
【図８】同ディスクトレイが収納位置にある状態を示す説明図
【図９】同ディスクトレイがイジェクト位置にある状態を示す説明図
【図１０】フロントトレイ部の屈曲状態を示す説明図
【図１１】フロントトレイ部の屈曲状態を示す説明図
【図１２】トレイ屈伸制御部の構成例を示すブロック図
【図１３】本装置を縦型とした例を示す斜視図
【発明を実施するための形態】
【００２３】
以下、本発明の具体的な構成例を図面に基づいて詳しく説明する。先ず、図１において、１はディスクトレイ駆動装置の筐体であり、その内部には図示せぬターンテーブルや光ピックアップのほか、後述するトレイ移送機構が設けられる。筐体１の前面はイジェクトスイッチ１１ａやローディングスイッチ１１ｂなどの操作スイッチ類を配した操作パネル部１１とされ、その操作パネル部１１にスリット状の開口部１２が形成されている。
【００２４】
２は開口部１２を通じて筐体１の内外に出入りする偏平板状のディスクトレイであり、その片面（図示例において上面）にはディスクを配置するためのディスク配置部Ｓが形成されている。ディスク配置部Ｓは、ディスクの外周縁を支持するための段差を付けた円形の凹みであり、その直径はディスクの直径よりも僅かに大きいものとされている。
【００２５】
そして、係るディスクトレイ２は、上述のトレイ移送機構により図１の実線で示される収納位置と、二点鎖線で示されるイジェクト位置との間を図示Ｌ方向（前後方向）に移動される。尚、収納位置ではディスク配置部Ｓを含むディスクトレイ２の全体が筐体１の内部に収まり、イジェクト位置では筐体１の外部にディスク配置部Ｓが全面的に露出して同部Ｓに対するディスクの配置及び取り出しが可能とされる。収納位置からイジェクト位置への移動は上記イジェクトスイッチ１１ａの押圧により行われ、イジェクト位置から収納位置への移動は上記ローディングスイッチ１１ｂの押圧により行われる。ここに、イジェクト位置では、図１の一点鎖線で示されるように、ディスクトレイ２の一部分（後述のフロントトレイ部２２）がディスク配置部Ｓとは反対の面側（本例において下向き）に向け折れ曲がるようになっているが、係る構成については後述する。
【００２６】
次に、ディスクトレイ２の構造をより詳しく説明すれば、係るディスクトレイ２は合成樹脂から成形されるもので、その片面に上述の如くディスク配置部Ｓが形成されている。尚、ディスクトレイ２は合成樹脂製に限らず、これをアルミダイキャスト、あるいはアルミその他金属の切削などにより成形することもできる。
【００２７】
又、図１、図２から明らかなように、ディスクトレイ２には、ディスク配置部Ｓの中心からその外域まで延びる切欠孔Ｈが穿設されている。この切欠孔Ｈは、上記のターンテーブルと光ピックアップとに対応して形成される開口部分であり、ディスク配置部Ｓの中心では切欠孔Ｈの一端を通じてディスク配置部Ｓに配置されたディスクの中心がターンテーブルで支持されるようになっており、これによりディスクをディスク配置部Ｓ上に若干浮上させて回転させながら、その盤面に対して光ピックアップからレーザ光を照射することが可能とされる。
【００２８】
特に、本発明に係るディスクトレイ２は、その移動方向（Ｌ方向）でリアトレイ部２１とフロントトレイ部２２とに区分され、その両トレイ部２１，２２がヒンジ２３を介して屈伸可能に連結する構成とされている。図１において、Ｔはリアトレイ部２１とフロントトレイ部２２の境界となる折れ目であり、この折れ目Ｔはディスク配置部Ｓを前後に分断するようディスクトレイ２の幅方向（横断方向）に沿って延びている。換言すれば、ディスク配置部Ｓは、リアトレイ部２１とフロントトレイ部２２との間（折れ目Ｔ）に跨って形成され、リアトレイ部２１側のディスク配置部Ｓ１とフロントトレイ部２２側のディスク配置部Ｓ２とに二分されている。尚、折れ目Ｔがディスク配置部Ｓの中心を通ってディスク配置部Ｓを二等分するようにしてもよいが、ディスク配置部Ｓ１よりもディスク配置部Ｓ２がディスク配置部Ｓにおいて大きな面積を占めることが好ましい。但し、リアトレイ部２１とフロントトレイ部２２によりディスク配置部Ｓが分断されることに限らず、フロントトレイ部２２がディスク配置部Ｓを独占する態様でもよい。
【００２９】
リアトレイ部２１は、ディスクトレイ２がイジェクト位置にあるとき筐体１の外部に先端側のみ張り出す部分であり、その先端両側面には図２から明らかなようにフロントトレイ部２２との連結用に円形のヒンジ片２３ａが形成されている。一方、フロントトレイ部２２は、ディスクトレイ２がイジェクト位置にあるとき筐体１の外部に全露出する部分であり、その一端部両側面にもリアトレイ部２１との連結用に円形のヒンジ片２３ｂが形成されている。又、フロントトレイ部２２は、折れ目Ｔとなる一端とは反対側において、その前端面を成す横長帯状の蓋板２２ａを一体として備えている。この蓋板２２ａは、図１のようにディスクトレイ２が収納位置にあるとき筐体１の開口部１２を塞ぐもので、これにより筐体１内への塵埃の侵入が防止されるようになっている。
【００３０】
そして、係るディスクトレイ２は、イジェクト位置にあってヒンジ２３を中心に屈伸し、フロントトレイ部２２がディスク配置部Ｓに配置されたディスクを保持しながらリアトレイ部２１に対してディスク配置部Ｓとは反対の面側に向け屈曲するようになるが、フロントトレイ部２２には屈伸動作時におけるディスクの脱落を防止するディスク保持手段として、後述する爪部材２４が設けられ、リアトレイ部２１にはフロントトレイ部２２が１８０度反転したときに蓋部材２２ａの端縁を受け入れる溝部が形成される。尚、ディスクトレイ２はイジェクト位置において必ず屈曲するとは限らず、本例ではスイッチ操作によりディスクトレイ２が屈曲する「屈曲モード」と、ディスクトレイ２が屈曲しない「通常モード」とに切換可能とされ、「屈曲モード」が選択されたときにのみイジェクト位置でのディスクトレイ２の屈伸動作が行われ、「通常モード」が選択されたときにはディスクトレイ２がイジェクト位置であっても屈曲せずして平板状を維持するようになっている。つまり、本発明に係るディスクトレイ駆動装置は、フロントトレイ部２２が前記イジェクト位置で屈曲するか否かを選択するモード切換手段を備えているが、係る手段の詳細は後述する。
【００３１】
又、図１〜図３から明らかなように、ディスクトレイ２の両側面にはリアトレイ部２１からフロントトレイ部２２にかけて凸条２５が形成されている。この凸条２５はイジェクト位置と収納位置との間を移動するときの摺接部分となるもので、筐体１の内部にはその凸条２５を摺動自在に支持する図示せぬガイドレールが設けられている。
【００３２】
次に、図４〜図７において、３はリアトレイ部２１に対してフロントトレイ部２２を屈曲せしめるためのトレイ屈伸駆動部である。本例において、トレイ屈伸駆動部３は、リアトレイ部２１の底面（ディスク配置部Ｓとは反対の面）に固定される正逆回転可能な屈伸モータ３１と、その回転駆動力をフロントトレイ部２２に伝達する３つの伝動ギア３２，３３，３４とで構成される。このうち、伝動ギア３２は屈伸モータ３１の駆動軸に固着されて隣り合う伝動ギア３３と噛み合っており、その伝動ギア３３はリアトレイ部２１の側面に突設したピンにて回転自在に支持されている。又、伝動ギア３４はフロントトレイ部２２のヒンジ片２３ｂより突出するヒンジピン２３ｃに固着されて伝動ギア３３と噛み合っている。しかして、リアトレイ部２１とフロントトレイ部２２とが平板状に連なる状態を初期位置として、屈伸モータ３１を一方向に回転駆動するとフロントトレイ部２２が屈曲し、屈伸モータ３１を逆転させればフロントトレイ部２２が初期位置に復帰する。
【００３３】
又、図５から明らかなように、ディスク保持手段を構成する爪部材２４は、フロントトレイ部２２の幅方向両側にあって、回転軸部２４ａを中心に、ディスク配置部Ｓ２の外周部上に突出する位置とディスク配置部Ｓ２の外域に退避する位置との間を移動可能とされている。回転軸部２４ａは、ディスク配置部Ｓ２の近隣でフロントトレイ部２２を貫通し、フロントトレイ部２２の底面側に突出する一端には作動レバー２６が固着されている。そして、爪部材２４は、ディスク配置部Ｓ２の外周部上に突出する位置に図示せぬバネで付勢されており、ディスクトレイ２が収納位置まで引き込まれたときには、作動レバー２６が上記筐体１に内蔵される図示せぬ障壁に突き当たって回転軸部２４ａが回動され、これにより爪部材２４が上記バネによる付勢力に抗してディスク配置部Ｓ２の外域に退避されるようになっている。従って、ディスクが筐体１内で回転駆動されるとき爪部材２４との干渉が防止され、ディスクトレイ２がイジェクト位置に向かって移動を開始するときには爪部材２４がディスク配置部Ｓ２内に突出してディスクを保持することができる。
【００３４】
又、図７において、４１はトレイ移送機構を構成する正逆回転可能なローディングモータ、４２はローディングモータ４１の駆動軸に固着されるピニオンであり、ディスクトレイ２の底面部にはリアトレイ部２１からフロントトレイ部２２に亘って移動方向に延びるラック２７が形成され、そのラック２７にピニオン４２が噛み合うようになっている。尚、ラック２７はディスクトレイ２の側面に形成してもよい。
【００３５】
次に、図８〜図１１によりディスクトレイ２の動作について説明する。尚、図８〜図１１において、ディスクトレイ２は図５のＣ−Ｃ断面であるが、ディスク配置部Ｓについては便宜的に上記切欠孔Ｈを省略した中心位置での断面をあらわしている。
【００３６】
先ず、図８において、ディスクトレイ２は収納位置にあり、リアトレイ部２１とフロントトレイ部２２は平板状に連なっており、ディスク配置部ＳにはディスクＤが配置されている。この状態で、イジェクトスイッチ１１ａを押圧すると、ローディングモータ４１の起動によりディスクトレイ２がイジェクト位置に向けて移動される。そして、図９のようにディスクトレイ２がイジェクト位置に達すると、ローディングモータ４１が停止される一方、これに代わって屈伸モータ３１が起動される。これにより、爪部材２４をもつフロントトレイ部２２がディスクＤを保持しながら図１０、図１１のようにリアトレイ部２１に対して屈曲する。
【００３７】
従って、図１１に例示するように、ディスクトレイ駆動装置がユーザの目線ＥＬより高い位置に設置された場合でも、ディスクＤの非記録面（ラベル面）に表示される文字などからディスクの種類を確認し、必要に応じて目線ＥＬ上のディスクＤをフロントトレイ部２２から容易に取り出すことができる。
【００３８】
又、図１０、図１１の状態において、ローディングスイッチ１１ｂを押圧すると、今度はローディングモータ４１に先行して屈伸モータ３１が上記とは逆向きに起動する。これにより、フロントトレイ部２２が初期位置に復帰してリアトレイ部２１と平板状に連なると、図９のように両トレイ部２１，２２のディスク配置部Ｓ１，Ｓ２が連なって一つのディスク配置部Ｓが合成され、フロントトレイ部２２のみで保持されていたディスクＤがディスク配置部Ｓ内に収まるようになる。そして、この段階で屈伸モータ３１が停止され、これに代わってローディングモータ４１が上記とは逆向きに起動することにより、ディスクトレイ２がイジェクト位置から収納位置に移動される。
【００３９】
尚、図１０はフロントトレイ部２２が９０度屈曲した状態、図１１はフロントトレイ部２２が１８０度屈曲した状態であるが、このような屈曲動作はトレイ屈伸制御部５により自動制御され、フロントトレイ部２２の屈曲角度も可変とされる。本例において、トレイ屈伸制御部５は図１０などに示されるよう筐体１に内蔵されるが、これをディスクトレイ２に搭載することもできる。
【００４０】
ここに、トレイ屈伸制御部５は、図１２のように制御装置５１と記憶装置５２から構成され、その制御装置５１に上記のイジェクトスイッチ１１ａ、ローディングスイッチ１１ｂ、屈伸モータ３１、及びローディングモータ４１のほか、フロントトレイ部２２の屈曲角度を指定するための設定入力部６が導電接続され、その設定入力部６から入力された設定値がフロントトレイ部２２の屈曲角度を示す制御情報として記憶装置５２に格納される構成とされている。
【００４１】
そして、制御装置５１は、イジェクトスイッチ１１ａやローディングスイッチ１１ｂが押圧されたとき、記憶装置５２から上記制御情報を読み出し、その制御情報に基づいて屈伸モータ３１の動作量を制御する。例えば、記憶装置５２に上記制御情報として「９０」が入力されていると、図１０のようにフロントトレイ部２２が９０度屈曲し、上記制御情報として「０」が入力されていると、フロントトレイ部２２の屈曲が行われない制御態様とされる。すなわち、本例において、設定入力部６はフロントトレイ部が前記イジェクト位置で屈曲するか否かを選択するモード切換手段となるが、設定入力部６に代えて例えば筐体１の前面（操作パネル部１１）に上記「屈曲モード」と「通常モード」を選択する図示せぬ切換スイッチを設け、その切換スイッチにより「屈曲モード」が選択されているときにのみ記憶装置５２に記録されている制御情報（例えば屈曲角度に対応する９０〜１８０の数値データ）に基づいてフロントトレイ部が屈曲し、「通常モード」が選択されている場合には、トレイ屈伸駆動部３が不作動状態とされる方式とすることもできる。
【００４２】
このような制御態様によれば、ディスクトレイ駆動装置の設置態様に応じてフロントトレイ部２２を所定の角度で屈曲し、あるいは屈曲させずしてディスクの着脱を容易に行うことができる。例えば、上記のように高所設置の場合にフロントトレイ部２２を９０〜１８０度屈曲させて下方からでもディスクの着脱を容易に行え、低所設置の場合にはフロントトレイ部２２を屈曲させずしてディスクの着脱を容易に行うことができる。又、図１３のような縦置きにして左右いずれかの面を壁面に近づけて設置した場合、フロントトレイ部２２の屈曲側に壁面があれば、フロントトレイ部２２を屈曲させずしてディスクの着脱を容易に行うことができ、その反対に壁面があればフロントトレイ部２２を９０〜１８０度屈曲させてディスクの着脱を容易に行うことができる。
【００４３】
以上、本発明の具体例を説明したが、フロントトレイ部２２は０度以上で最大１８０度の屈曲を許容されることに限らず、その最大屈曲角度が９０〜１２０度とされていてもよい。最大屈曲角度が９０〜１２０度であれば、ヒンジ２３の構造を単純化できるし、９０〜１２０度の屈曲でもフロントトレイ部２２に保持されたディスクのレベル面を下方から視認することができる。
【００４４】
又、トレイ屈伸制御部５は上記のような構成に限らず、例えば制御装置５１に制御情報としてイジェクトスイッチ１１ａの押圧時間や回数に対応する電気信号が入力されるようにし、これによってトレイ屈伸駆動部３の動作量が制御されるようにしてもよい。これによれば、ユーザ自らが屈曲角度をその場の状況に応じて段階的又は連続的に調整することができる。
【００４５】
更に、ディスク保持手段は、上記例のような爪部材２４に限らず、フロントトレイ部２２にディスク配置部Ｓ２の外周部を覆う円弧状部材を設けたり、ディスク配置部Ｓ２を全面的に覆う板状部材を設けてフロントトレイ部２２の全体がポケット状となる態様としたりしてもよい。加えて、爪部材２４をディスク配置部Ｓの半径方向にスライドする方式としても良い。例えば、ディスク配置部Ｓに対してディスクを押し込んだとき、ディスクの外周縁により爪部材がディスク配置部Ｓの外方に押し出され、ディスクがディスク配置部Ｓに収まったら爪部材がバネ力によりディスク配置部Ｓ内に突出する位置に復帰してディスクを保持可能となる構成とすることができる。
【符号の説明】
【００４６】
Ｄ  ディスク
Ｓ  ディスク配置部
Ｓ１  ディスク配置部のリア側
Ｓ２  ディスク配置部のフロント側
１  筐体
１１ａ  イジェクトスイッチ
２  ディスクトレイ
２１  リアトレイ部
２２  フロントトレイ部
２３  ヒンジ
２４  爪部材（ディスク保持手段）
２７  ラック
３  トレイ屈伸駆動部
３１  屈伸モータ
４１  ローディングモータ
４２  ピニオン
５  トレイ屈伸制御部
【図１】
2010257543.tif 000003
【図２】
2010257543.tif 000004
【図３】
2010257543.tif 000005
【図４】
2010257543.tif 000006
【図５】
2010257543.tif 000007
【図６】
2010257543.tif 000008
【図７】
2010257543.tif 000009
【図８】
2010257543.tif 000010
【図９】
2010257543.tif 000011
【図１０】
2010257543.tif 000012
【図１１】
2010257543.tif 000013
【図１２】
2010257543.tif 000014
【図１３】
2010257543.tif 000015